(57)【要約】      （修正有）【課題】ワンタッチ操作での閉栓と開栓を実現する飲料容器用の栓体を提供する。【解決手段】栓体１は、飲料容器に装着するとともに飲料流出口４を備える筒状の装着蓋体３と、円盤状の操作蓋体５と、装着蓋体の飲料流出口の施栓、施栓解除を行う施栓部６ａを具備する施栓蓋体６とを接合配置した円筒状の開閉蓋体７と、装着蓋体と施栓蓋体の間に設けられ、装着蓋体に対して開閉蓋体を開閉可能に支持するとともに開閉蓋体を開方向に付勢するバネ材を備えるヒンジ９と、を有する飲料容器用の栓体であって、操作蓋体の回動操作で、１対の係合フック部２３ａと係合受フック部２７ａとの係合を解除してワンタッチでの開栓動作を実行させ、開閉蓋体の閉操作で両フック部を係合してワンタッチでの閉栓動作を実行させる。【選択図】図６
0003222319.tif 000002
【実用新案登録請求の範囲】
【請求項１】
飲料容器に装着するとともに飲料流出口を備える筒状の装着蓋体と、
平盤状の操作蓋体と、前記装着蓋体の飲料流出口の施栓、施栓解除を行う施栓部を具備する施栓蓋体とを接合配置した筒状の開閉蓋体と、
前記装着蓋体、前記開閉蓋体における施栓蓋体間に設けられ、前記装着蓋体に対して前記開閉蓋体を開閉可能に支持するとともに前記開閉蓋体を開方向に付勢するバネ材を備えるヒンジと、
を有する飲料容器用の栓体であって、
前記操作蓋体の底部に基端部が固定されて、前記施栓蓋体の上片部に設けた一対の円弧状の抜穴を貫いてこの施栓蓋体の内部において装着蓋体の側に突出させた一対の係合フック部と、前記施栓蓋体に設けた前記一対の係合フック部の近傍に位置する一対の固定突起と、前記一対の係合フック部、一対の固定突起の外周に掛け回した一対の弾性リング材と、を具備し、前記操作蓋体を前記一対の円弧状の抜穴の寸法内で前記施栓蓋体に接合しつつ一対の弾性リング材の弾力に抗しつつ回動操作可能に連結する操作蓋体回動支持機構部と、
前記装着蓋体の飲料流出口外側に基端部が固定され、前記開閉蓋体側に前記一対の係合フック部と係合する配置で突設配置した一対の係合受フック部を具備し、前記一対の係合フック部と一対の係合受フック部との係合により、前記施栓部により前記飲料流出口を施栓した状態とする飲料流出口の施栓機構部と、
を有し、
前記操作蓋体の回動操作で、前記一対の係合フック部と一対の係合受フック部との係合解除を行い、前記バネ材の弾力を利用して前記開閉蓋体のワンタッチでの開動作を実行させ、前記開閉蓋体の閉操作で前記一対の係合フック部と一対の係合受フック部とを係合させるワンタッチでの閉動作を実行させるようにしたことを特徴とする飲料容器用の栓体。
【請求項２】
飲料容器にネジ結合させるとともに飲料流出口を備える円筒状の装着蓋体と、
円盤状で側面外周部に凹凸部を設けた操作蓋体と、前記装着蓋体の飲料流出口の施栓、施栓解除を行う施栓部を具備する施栓蓋体とを接合配置した円筒状の開閉蓋体と、
前記装着蓋体、前記開閉蓋体における施栓蓋体間に設けられ、前記装着蓋体に対して前記開閉蓋体を開閉可能に支持するとともに前記開閉蓋体を開方向に付勢するバネ材を備えるヒンジと、
を有する飲料容器用の栓体であって、
前記操作蓋体の底部に基端部が固定されて、前記施栓蓋体の上片部に設けた一対の円弧状の抜穴を貫いてこの施栓蓋体の内部において装着蓋体の側に突出させた一対の係合フック部と、前記施栓蓋体に設けた前記一対の係合フック部の近傍に位置する一対の固定突起と、前記一対の係合フック部、一対の固定突起の外周に掛け回した一対の弾性リング材と、を具備し、前記操作蓋体を前記一対の円弧状の抜穴の寸法内で前記施栓蓋体に接合しつつ一対の弾性リング材の弾力に抗しつつ回動操作可能に連結する操作蓋体回動支持機構部と、
前記装着蓋体の飲料流出口外側に基端部が固定され、前記開閉蓋体側に前記一対の係合フック部と係合する配置で突設配置した一対の係合受フック部を具備し、前記一対の係合フック部と一対の係合受フック部との係合により、前記施栓部により前記飲料流出口を施栓した状態とする飲料流出口の施栓機構部と、
を有し、
前記操作蓋体の回動操作で、前記一対の係合フック部と一対の係合受フック部との係合解除を行い、前記バネ材の弾力を利用して前記開閉蓋体のワンタッチでの開動作を実行させ、前記開閉蓋体の閉操作で前記一対の係合フック部と一対の係合受フック部とを係合させるワンタッチでの閉動作を実行させるようにしたことを特徴とする飲料容器用の栓体。
【請求項３】
前記装着蓋体の上面外周部に設けた密着用突片と、前記開閉蓋体における施栓蓋体の下面外周部の前記密着用突片に対応する位置に設けた密着用受凹部と、を具備し、前記密着用突片と密着用受凹部との係合により、前記開閉蓋体における施栓蓋体を装着蓋体の上面に密着接合させる開閉蓋体の密着接合維持機構部を備えることを特徴とする請求項１又は２記載の飲料容器用の栓体。
【請求項４】
前記操作蓋体は、上面側に前記底部側の一対の係合フック部の基端部側を表出させる着脱可能なキャップ板を備えることを特徴とする請求項１乃至３のいずれか１項に記載の飲料容器用の栓体。
【請求項５】
前記ヒンジは、前記装着蓋体と一体でヒンジ軸を挿通する軸通孔を有する下部ヒンジ筒部と、前記開閉蓋体における施栓蓋体と一体でヒンジ軸を挿通する軸通孔を有し、かつ、前記下部ヒンジ筒部を挟み込む一対の挟み込みヒンジ筒部と、前記ヒンジ軸に巻回した前記バネ材と、前記下部ヒンジ筒部外周に設けた曲面状段部と、前記施栓蓋体で前記曲面状段部の近傍位置でこの曲面状段部に向けて突設した接触突片と、を具備する構成の開状態維持機構部を備えることを特徴とする請求項１乃至４のいずれか１項に記載の飲料容器用の栓体。
【請求項６】
前記ヒンジは、前記装着蓋体、前記開閉蓋体における施栓蓋体の内部に内装されていることを特徴とする請求項１乃至５のいずれか１項に記載の飲料容器用の栓体。
【請求項７】
前記請求項１乃至６のいずれか１項に記載の栓体を備えることを特徴とする飲料容器。
【考案の詳細な説明】
【技術分野】
【０００１】
本考案は、飲料容器用の栓体に関し、詳しくは、ワンタッチで飲料容器の開口部を施栓し、又は施栓解除を行う飲料容器用の新規な栓体、及び該栓体を備える飲料容器に関するものである。
【背景技術】
【０００２】
従来における飲料容器用の一般的な栓体の構造について、図８、図９を参照して説明する。
【０００３】
図８に示す飲料容器用の栓体６１は、飲料容器本体５１の上部開口部にネジ結合させるとともに内部に飲料流出口を備える円筒状の装着蓋体６２と、この装着蓋体６２の上面に対して図示しないヒンジにより開閉可能に取り付けた円筒状の開閉蓋体６３とを具備している。
【０００４】
更に、前記装着蓋体６２、開閉蓋体６３間には開閉蓋体６３を装着蓋体６２上に密着状態に接合保持するために、装着蓋体６２側には押し操作により密着状態を解除し、開閉蓋体６３を開状態とするための押しボタン６４と、押しボタン６４の外側位置に装着蓋体６２に基端側を連結し突出端側をロック片受部６６に嵌合させることで、装着蓋体６２、開閉蓋体６３間をロック状態とするロック片６５と、を設けた構成としている。
【０００５】
このような栓体６１の場合には、開閉蓋体６３を開状態とする際、前記ロック片６５を外し、次いで前記押しボタン６４を押すというダブルタッチが必須であり、ワンタッチ式の構造ではない。
【０００６】
図９に示す飲料容器用の栓体７１は、飲料容器本体５１の上部開口部にネジ結合させるとともに内部に飲料流出口を備える円筒状の装着蓋体７２と、この装着蓋体７２にネジ結合させる円筒状の操作蓋体７３と、を具備し、操作蓋体７３を複数回回動させて装着蓋体７２から離脱させ飲料流出口を表出状態として飲料容器本体５１内の飲料を飲むようにしたものであり、操作蓋体７３の操作に手間がかかり不便なものである。
【０００７】
特許文献１には、飲料用容器に装着する肩カバーと、当該肩カバーにヒンジを介して開閉可能に取り付けられた蓋と、前記肩カバーの側周に組み込まれた蓋開閉ボタンと、前記肩カバーに組み込まれたボタンロックとを備え、蓋開閉ボタンを押すことにより該蓋開閉ボタンの係止部が前記蓋から外れて該蓋の開放回転が可能となり、前記蓋開閉ボタンの進退方向に対する左右への傾きは、該蓋開閉ボタンの左右両側に設けられた対向端部と前記肩カバーの案内部との接触により防止されており、前記ボタンロックは、前記蓋開閉ボタンを後方から支持する受け部を有し、かつ、該受け部が該蓋開閉ボタンの後退空間から左右一方側へ退避したロック解除位置と、前記係止部が前記蓋を係止する状態で該受け部が該後退空間に左右一方側から進出したロック位置との間を進退可能に設けられており、前記ロック位置で前記受け部が前記蓋開閉ボタンの後退を阻止することにより前記係止部が前記蓋から外れることを防ぐように構成した飲料容器用栓体が開示されている。
【０００８】
しかし、特許文献１の飲料容器用栓体の場合も、蓋開閉ボタンを押すことにより蓋開閉ボタンの係止部を蓋から外し、蓋を開放回転可能とし、しかる後、蓋を開放回転することで、飲料用容器を開口状態とするものであり、ワンタッチ式で蓋を開く構造のものではない。
【先行技術文献】
【特許文献】
【０００９】
【特許文献１】特許第５１４８５４４号公報
【考案の概要】
【考案が解決しようとする課題】
【００１０】
本考案は、従来における上記実情に鑑み開発されたものであり、飲料容器の開口部に装着するとともに飲料流出口を備える筒状の装着蓋体における飲料流通口の施栓、施栓解除を行う開閉蓋体のワンタッチでの閉操作、ワンタッチでの開操作を実現する飲料容器用の栓体、及び、該栓体を備える飲料容器を提供するものである。
【課題を解決するための手段】
【００１１】
本考案は、飲料容器に装着するとともに飲料流出口を備える筒状の装着蓋体と、平盤状の操作蓋体と、前記装着蓋体の飲料流出口の施栓、施栓解除を行う施栓部を具備する施栓蓋体とを接合配置した筒状の開閉蓋体と、前記装着蓋体、前記開閉蓋体における施栓蓋体間に設けられ、前記装着蓋体に対して前記開閉蓋体を開閉可能に支持するとともに前記開閉蓋体を開方向に付勢するバネ材を備えるヒンジと、を有する飲料容器用の栓体であって、前記操作蓋体の底部に基端部が固定され、前記施栓蓋体の上片部に設けた一対の円弧状の抜穴を貫いてこの施栓蓋体の内部において装着蓋体側に突出させた一対の係合フック部と、前記施栓蓋体に設けた前記一対の係合フック部の近傍に位置する一対の固定突起と、前記一対の係合フック部、一対の固定突起の外周に掛け回した一対の弾性リング材と、を具備し、前記操作蓋体を前記一対の円弧状の抜穴の寸法内で前記施栓蓋体に接合しつつ一対の弾性リング材の弾力に抗しつつ回動操作可能に連結する操作蓋体回動支持機構部と、前記装着蓋体の飲料流出口外側に基端部が固定され、前記開閉蓋体側に前記一対の係合フック部と係合する配置で突設配置した一対の係合受フック部を具備し、前記一対の係合フック部と一対の係合受フック部との係合により、前記施栓部により前記飲料流出口を施栓した状態とする飲料流出口の施栓機構部と、を有し、前記操作蓋体の回動操作で、前記一対の係合フック部と一対の係合受フック部との係合解除を行い、前記バネ材の弾力を利用して前記開閉蓋体のワンタッチでの開動作を実行させ、前記開閉蓋体の閉操作で前記一対の係合フック部と一対の係合受フック部とを係合させるワンタッチでの閉動作を実行させるようにしたことを最も主要な特徴とする。
【考案の効果】
【００１２】
請求項１記載の考案によれば、飲料容器の開口部に装着するとともに飲料流出口を備える例えば筒状の装着蓋体における飲料流通口の施栓、施栓解除を行う開閉蓋体のワンタッチでの閉操作、ワンタッチでの開操作を行う飲料容器用の栓体を実現し、提供することができる。
【００１３】
請求項２記載の考案によれば、飲料容器にネジ結合させるとともに飲料流出口を備える円筒状の装着蓋体と、円盤状で側面外周部に凹凸部を設けた操作蓋体と、前記装着蓋体の飲料流出口の施栓、施栓解除を行う施栓部を具備する施栓蓋体とを接合配置した円筒状の開閉蓋体と、前記装着蓋体、前記開閉蓋体における施栓蓋体間に設けられ、前記装着蓋体に対して前記開閉蓋体を開閉可能に支持するとともに前記開閉蓋体を開方向に付勢するバネ材を備えるヒンジと、を有する構成の基に、請求項１記載の考案と同様、飲料容器の開口部に装着するとともに飲料流出口を備える円筒状の装着蓋体における飲料流通口の施栓、施栓解除を行う円筒状の開閉蓋体のワンタッチでの閉操作、ワンタッチでの開操作を行う飲料容器用の栓体を実現し、提供することができる。
【００１４】
請求項３記載の考案によれば、密着用突片と密着用受凹部との係合により、請求項１又は２記載の考案において、開閉蓋体における施栓蓋体を装着蓋体の上面に密着接合させる開閉蓋体の密着接合維持機構部を備えることから、請求項１又は２記載の考案の効果を奏し、かつ、開閉蓋体の閉状態において、施栓蓋体を装着蓋体の上面に密着接合させる状態を確保することができ、飲料容器の運搬時等の便宜を図ることができる飲料容器用の栓体を実現し、提供することができる。
【００１５】
請求項４記載の考案によれば、前記請求項１乃至３のいずれか１項に記載の考案において、操作蓋体は、上面側に底部側の一対の係合フック部の基端部側を表出させる着脱可能なキャップ板を備えることから、請求項１乃至３のいずれか１項に記載の考案の効果を奏し、かつ、操作蓋体における一対の係合フック部の基端部側の清掃が可能で、操作蓋体の清潔維持を図ることができる飲料容器用の栓体を実現し、提供することができる。
【００１６】
請求項５記載の考案によれば、前記請求項１乃至４のいずれか１項に記載の考案において、前記ヒンジは、前記装着蓋体と一体でヒンジ軸を挿通する軸通孔を有する下部ヒンジ筒部と、前記開閉蓋体における施栓蓋体と一体でヒンジ軸を挿通する軸通孔を有し、かつ、前記下部ヒンジ筒部を挟み込む一対の挟み込みヒンジ筒部と、前記ヒンジ軸に巻回した前記バネ材と、前記下部ヒンジ筒部外周に設けた曲面状段部と、前記施栓蓋体で前記曲面状段部の近傍位置でこの曲面状段部に向けて突設した接触突片と、を具備する開状態維持機構部を備えることから、請求項１乃至４のいずれか１項に記載の考案の効果を奏し、かつ、開閉蓋体７を安定開位置となる開状態に維持することができ、飲料容器内の飲料を飲み込む使用者の飲料飲み込時の便宜を図ることができる飲料容器用の栓体を実現し、提供することができる。
【００１７】
請求項６記載の考案によれば、前記請求項１乃至５のいずれか１項に記載の考案において、ヒンジは、装着蓋体、開閉蓋体における施栓蓋体の内部に内装されている構成としているので、請求項１乃至５のいずれか１項に記載の考案の効果を奏し、かつ、ヒンジが外部に露出せず、外観体裁の良好な飲料容器用の栓体を実現し、提供することができる。
【００１８】
請求項７記載の考案によれば、前記請求項１乃至６のいずれか１項に記載の栓体を備える飲料容器としていることから、栓体の開閉時の操作が簡略容易で飲料容器内の飲料を飲み込む使用者の飲料飲み込時、閉栓時の取り扱いが極めて便利な飲料容器を実現し、提供することができる。
【図面の簡単な説明】
【００１９】
【図１】図１は本考案の実施例に係る飲料容器用の栓体の全体を示す概略正面図である。
【図２】図２は本実施例に係る飲料容器用の栓体の概略断面図である。
【図３】図３は本実施例に係る飲料容器用の栓体の下面側から見た概略平面図である。
【図４】図４は本実施例に係る飲料容器用の栓体におけるキャップ板を含む操作蓋体、施栓蓋体、及び、装着蓋体の分解状態の概略断面図である。
【図５】図５は本実施例に係る飲料容器用の栓体における操作蓋体、キャップ板の分解状態の概略平面図である。
【図６】図６は本実施例に係る飲料容器用の栓体における開閉蓋体のワンタッチ開閉状態を示す概略斜視図である。
【図７】図７は本実施例に係る飲料容器用の栓体における開閉蓋体の開状態維持機構部による開状態維持態様を示す概略斜視図である。
【図８】図８は従来の飲料容器用の栓体の一例を示す概略斜視図である。
【図９】図９は従来の飲料容器用の栓体の他例を示す概略斜視図である。
【考案を実施するための形態】
【００２０】
本考案は、飲料容器の開口部に装着するとともに飲料流出口を備える筒状の装着蓋体における飲料流通口の施栓、施栓解除を行う開閉蓋体のワンタッチでの閉操作、ワンタッチでの開操作を実現する飲料容器用の栓体を提供するという目的を、飲料容器にネジ結合させるとともに飲料流出口を備える円筒状の装着蓋体と、円盤状で側面外周部に凹凸部を設けた操作蓋体と、前記装着蓋体の飲料流出口の施栓、施栓解除を行う施栓部を具備する施栓蓋体とを接合配置した円筒状の開閉蓋体と、前記装着蓋体、前記開閉蓋体における施栓蓋体間に設けられ、前記装着蓋体に対して前記開閉蓋体を開閉可能に支持するとともに前記開閉蓋体を開方向に付勢するバネ材を備えるヒンジと、を有する飲料容器用の栓体であって、前記操作蓋体の底部に基端部が固定され、前記施栓蓋体の上片部に設けた一対の円弧状の抜穴を貫いてこの施栓蓋体の内部において装着蓋体側に突出させた一対の係合フック部と、前記施栓蓋体に設けた前記一対の係合フック部の近傍に位置する一対の固定突起と、前記一対の係合フック部、一対の固定突起の外周に掛け回した一対の弾性リング材と、を具備し、前記操作蓋体を前記一対の円弧状の抜穴の寸法内で前記施栓蓋体に接合しつつ一対の弾性リング材の弾力に抗しつつ回動操作可能に連結する操作蓋体回動支持機構部と、前記装着蓋体の飲料流出口外側に基端部が固定され、前記開閉蓋体側に前記一対の係合フック部と係合する配置で突設配置した一対の係合受フック部を具備し、前記一対の係合フック部と一対の係合受フック部との係合により、前記施栓部により前記飲料流出口を施栓した状態とする飲料流出口の施栓機構部と、を有し、前記操作蓋体の回動操作で、前記一対の係合フック部と一対の係合受フック部との係合解除を行い、前記バネ材の弾力を利用して前記開閉蓋体のワンタッチでの開動作を実行させ、前記開閉蓋体の閉操作で前記一対の係合フック部と一対の係合受フック部とを係合させるワンタッチでの閉動作を実行させる構成により実現した。
【実施例】
【００２１】
以下、図面を参照して、本考案の実施例に係る飲料容器用の栓体、及び、該栓体を備える飲料容器について詳細に説明する。
【００２２】
本実施例に係る飲料容器用の栓体１は、図１乃至図７に示すように、飲料容器２の上部開口部の回りにネジ結合させるとともに飲料容器２内の飲料を流出させる飲料流出口４を備える円筒状の合成樹脂材からなる装着蓋体３と、円盤状で側面外周部に凹凸部５ｄを全周にわたって設けた合成樹脂材からなる操作蓋体５と、前記装着蓋体３の飲料流出口４の施栓、施栓解除を行う施栓部６ａを具備する施栓蓋体６とをこの施栓蓋体６が回動可能な状態で合配置した円筒状の開閉蓋体７と、前記装着蓋体３、前記開閉蓋体７における施栓蓋体６間に設けられ、前記装着蓋体３に対して前記開閉蓋体７を開閉可能に支持するとともに前記開閉蓋体７を開方向に付勢する例えばコイルバネからなるバネ材８を備えるヒンジ９と、を有している。
【００２３】
本実施例に係る飲料容器用の栓体１は、前記操作蓋体５を前記施栓蓋体６に接合しつつ回動操作可能に連結する操作蓋体回動支持機構部２１を有している。
【００２４】
この操作蓋体回動支持機構部２１は、操作蓋体５の底部５ａに基端部が固定され、前記施栓蓋体６の上片部６ｂに設けた一対の円弧状の抜穴２２、２２を貫いてこの施栓蓋体６の下辺から装着蓋体３側に突出させた一対の係合フック部２３ａ、２３ａと、前記施栓蓋体６の上片部６ｂの下面に設けた前記一対の係合フック部２３ａ、２３ａの近傍に位置する一対の固定突起２４ａ、２４ａと、前記一対の係合フック部２３ａ、２３ａ、一対の固定突起２４ａ、２４ａの外周に掛け回した例えばリング状に形成したシリコンリング材からなる一対の弾性リング材２５ａ、２５ａと、を具備し、操作蓋体５を前記一対の円弧状の抜穴２２、２２の寸法内で前記施栓蓋体６に接合しつつ一対の弾性リング材２５ａ、２５ａの弾力に抗しつつ回動操作可能に連結するように構成している。
【００２５】
また、本実施例に係る飲料容器用の栓体１は、飲料流出口の施栓機構部２６を有している。
【００２６】
この飲料流出口の施栓機構部２６は、前記装着蓋体３の飲料流出口４の外側の底片に基端部が固定され、前記開閉蓋体７側に前記一対の係合フック部２３ａ、２３ａと係合する配置で各々突設配置した一対の係合受フック部２７ａ、２７ａを具備し、前記装着蓋体３に対して前記開閉蓋体７を閉状態としたとき、前記一対の係合フック部２３ａ、２３ａと一対の係合受フック部２７ａ、２７ａとの係合により、前記施栓部６ａにより前記飲料流出口４を閉塞し施栓した状態とするように構成している。
【００２７】
そして、前記操作蓋体５の図６に矢印で示す方向の回動操作（前記一対の弾性リング材２５ａ、２５ａの弾力に抗する操作）で、前記一対の係合フック部２３ａ、２３ａと一対の係合受フック部２７ａ、２７ａとの係合解除を行い、前記施栓部６ａによる前記飲料流出口４の施栓解除を行うと同時に前記バネ材８の弾力を利用して前記開閉蓋体７のワンタッチでの開操作を実行させるように構成している。
【００２８】
また、前記開閉蓋体７を前記装着蓋体３上に閉じる際には、前記開閉蓋体７全体を前記バネ材８の弾力に抗しつつ閉操作することにより、前記一対の係合フック部２３ａ、２３ａと一対の係合受フック部２７ａ、２７ａとが上述した場合とは逆に係合状態となり、かつ、前記施栓部６ａにより前記飲料流出口４を閉塞し施栓した状態とすることができ、この場合もワンタッチでの閉操作を確実に実行することができる。
【００２９】
本実施例に係る飲料容器用の栓体１は、更に、開閉蓋体の密着接合維持機構部３１を有している。
【００３０】
この開閉蓋体の密着接合維持機構部３１は、前記装着蓋体３の上面外周部に設けた密着用突片３ａと、前記開閉蓋体７における施栓蓋体６の下面外周部の前記密着用突片３ａに対応する位置に設けた密着用受凹部３３と、を具備し、前記装着蓋体３に対する前記開閉蓋体７の閉状態において、前記密着用突片３ａと密着用受凹部３３との係合により、前記開閉蓋体７における施栓蓋体６を装着蓋体３の上面に密着接合させるように構成し、前記開閉蓋体７の閉状態における開閉蓋体密着接合状態を確保するようにしている。
【００３１】
これにより、前記開閉蓋体７の閉状態において、前記施栓蓋体６を装着蓋体３の上面に密着接合させる状態を確保することができ、飲料容器２の運搬時等の便宜を図ることができる。なお、前記開閉蓋体７の開操作時には、前記密着用突片３ａと密着用受凹部３３との密着状態はこれらの撓みにより解除される。
【００３２】
前記操作蓋体５は、図４、図５に示すように、上面側に前記底部５ａ側の一対の係合フック部２３ａ、２３ａの基端部側を表出させる着脱可能な円板状のキャップ板３２を備えている。
【００３３】
すなわち、前記操作蓋体５の筒状側壁部５ｂの内部には、受凹陥部５ｃを設けている。
【００３４】
また、キャップ板３２には、その外周の一部から突設させた位置決め突起３２ａと、前記操作蓋体５側に突出させた複数箇所の嵌入小突起３４とを設けている。なお、図５においては、前記キャップ板３２を表裏反転した状態で示している。
【００３５】
そして、前記キャップ板３２の位置決め突起３２ａを受凹陥部５ｃに位置決めしつつ各嵌入小突起３４を筒状側壁部５ｂの内周部に嵌入することで、前記操作蓋体５の上面を覆い、また、前記キャップ板３２を前記操作蓋体５の上面から取り外すことで、一対の係合フック部２３ａ、２３ａの基端部側を表出させるように構成している。
【００３６】
このような構成により、前記抜穴２２、２２から前記操作蓋体５の内部に流入する可能性がある飲料によって前記操作蓋体５の内部が汚れたような場合にその汚れ部分を清掃可能とし、前記操作蓋体５の内部を清潔に保ち得るようにしている。
【００３７】
前記ヒンジ９は、図７に示すように、前記開閉蓋体７をワンタッチ開位置より更に変位した開状態（開閉蓋体安定開位置）に維持する開状態維持機構部４１を備えている。
【００３８】
前記開状態維持機構部４１は、前記装着蓋体３と一体でヒンジ軸４３を挿通する軸通孔を有する下部ヒンジ筒部４２と、前記開閉蓋体７における施栓蓋体６と一体でヒンジ軸４３を挿通する軸通孔を有し、かつ、前記下部ヒンジ筒部４２を挟み込む一対の挟み込みヒンジ筒部４４ａ、４４ａと、前記ヒンジ軸４３に巻回した前記バネ材８と、前記下部ヒンジ筒部４２外周に設けた曲面状段部４５と、前記施栓蓋体６側で前記曲面状段部４５の近傍位置でこの曲面状段部４５に向けて突設した接触突片４６と、を具備している。
【００３９】
そして、図６に示す前記開閉蓋体のワンタッチ開位置からのさらなる開操作により、前記下部ヒンジ筒部４２の外周に設けた曲面状段部４５と、前記施栓蓋体６側の接触突片４６との摩擦接触により、前記開閉蓋体７を図７に示す開状態に維持するとともに、前記開閉蓋体７の閉方向の操作力により前記接触突片４６の曲面状段部４５に対する摩擦接触状態を解除して前記開閉蓋体７を図６に示すワンタッチ開位置側に復元可能とするように構成している。
【００４０】
前記開状態維持機構部４１の構成により、前記開閉蓋体７を安定開位置となる開状態に維持することができ、前記飲料容器２内の飲料を飲み込む使用者の飲料飲み込時の便宜を図ることができる。
【００４１】
なお、前記ヒンジ９を、前記装着蓋体３、前記開閉蓋体７における施栓蓋体６の内部に内装し、ヒンジ９が外部に露出しない外観体裁の良好な飲料容器用の栓体１とすることもできる。
【００４２】
以上説明した本実施例に係る飲料容器用の栓体１によれば、飲料容器の開口部に装着するとともに飲料流出口を備える筒状の装着蓋体における飲料流通口の施栓、施栓解除を行う開閉蓋体のワンタッチでの閉操作、及び、ワンタッチでの開操作を簡略容易に実現することができる。
【００４３】
また、前記栓体１を備える飲料容器２によれば、前記栓体１の開閉時の操作が簡略容易で飲料容器２内の飲料を飲み込む使用者の飲料飲み込時、閉栓時の取り扱いが極めて便利となる。
【産業上の利用可能性】
【００４４】
本考案は、据え置き型の飲料容器用として、また、携帯型の飲料容器用として、極めて簡略な操作で当該飲料容器の開栓、施栓を行う栓体として広範に利用可能である。
【符号の説明】
【００４５】
１    飲料容器用の栓体
２    飲料容器
３    装着蓋体
３ａ  密着用突片
４    飲料流出口
５    操作蓋体
５ａ  底部
５ｂ  筒状側壁部
５ｃ  受凹陥部
５ｄ  凹凸部
６    施栓蓋体
６ａ  施栓部
６ｂ  上片部
７    開閉蓋体
８    バネ材
９    ヒンジ
２１    操作蓋体回動支持機構部
２２    抜穴
２３ａ  係合フック部
２４ａ  固定突起
２５ａ  弾性リング材
２６    飲料流出口の施栓機構部
２７ａ  係合受フック部
３１    開閉蓋体の密着接合維持機構部
３２    キャップ板
３２ａ  位置決め突起
３３    密着用受凹部
３４    嵌入小突起
４１    開状態維持機構部
４２    下部ヒンジ筒部
４３    ヒンジ軸
４４ａ  挟み込みヒンジ筒部
４５    曲面状段部
４６    接触突片
【図１】
0003222319.tif 000003
【図２】
0003222319.tif 000004
【図３】
0003222319.tif 000005
【図４】
0003222319.tif 000006
【図５】
0003222319.tif 000007
【図６】
0003222319.tif 000008
【図７】
0003222319.tif 000009
【図８】
0003222319.tif 000010
【図９】
0003222319.tif 000011